(57)【要約】【課題】廃棄物の水分率を所定範囲に収める廃棄物処理装置及び方法を提供することを課題とする。【解決手段】廃棄物Ｐを受け入れる貯留ピットを備えた貯留装置Ｉと、廃棄物を焼却する焼却装置IIと、貯留装置から廃棄物を取り出す取出し装置を可動に備えていて廃棄物を焼却装置へ搬送供給する搬送供給装置IIIとを有し、廃棄物処理装置は水分率調整装置を備え、水分率調整装置は、貯留ピット内の廃棄物の水分率分布を計測する水分率計測手段と、貯留ピット内の廃棄物の水分率分布を調整するために該廃棄物を攪拌混合する攪拌混合手段と、攪拌混合手段及び取出し装置を制御する攪拌混合取出し制御手段とを有し、攪拌混合取出し制御手段は、水分率計測手段により計測された水分率分布にもとづき攪拌混合手段を作動させて水分率が所定範囲の部位を形成し、取出し装置を作動させて該部位の廃棄物を取出すように攪拌混合手段及び取出し装置を制御する。【選択図】図１
2014185835.tif 000002
【特許請求の範囲】
【請求項１】
廃棄物を受け入れて一時貯留する貯留ピットを備えた貯留装置と、廃棄物を焼却する焼却装置と、貯留装置に貯留されている廃棄物を取り出す取出し装置を可動に備えていて廃棄物を焼却装置へ搬送供給する搬送供給装置とを有する廃棄物処理装置において、
廃棄物処理装置は水分率調整装置を備え、該水分率調整装置は、貯留ピット内の廃棄物の水分率分布を計測する水分率計測手段と、貯留ピット内の廃棄物の水分率分布を調整するために該廃棄物を攪拌混合する攪拌混合手段と、該攪拌混合手段及び取出し装置を制御する攪拌混合取出し制御手段とを有し、
上記攪拌混合取出し制御手段は、水分率計測手段により計測された水分率分布にもとづき、上記攪拌混合手段を作動させて貯留ピット内に廃棄物の水分率が所定範囲である部位を形成し、取出し装置を作動させて該部位の廃棄物を取り出すように攪拌混合手段及び取出し装置を制御することを特徴とする廃棄物処理装置。
【請求項２】
貯留装置は、外部からの廃棄物が搬入される前段ピットと、該前段ピットから搬送された廃棄物を受ける後段ピットと、前段ピットと後段ピットとの間に設けられた破砕機とを有し、水分率計測手段と取出し装置が後段ピットに対して設けられていて廃棄物が取出し装置により後段ピットから焼却装置へ搬送供給されるようになっていることとする請求項１に記載の廃棄物処理装置。
【請求項３】
取出し装置は、廃棄物を貯留装置から焼却装置へ搬送供給するための搬送クレーンに吊下して設けられ廃棄物を掴むバケットを有し、該バケットの吊下位置が水平方向に可動となっていて、該バケットが攪拌混合手段をも兼ねていることとする請求項１又は請求項２に記載の廃棄物処理装置。
【請求項４】
焼却装置は、廃棄物の水分率から廃棄物の発熱量を算出する発熱量算出手段と、焼却装置へ供給する燃焼用空気の供給量を調整する供給空気量調整手段と、水分率計測手段で検出された廃棄物の水分率から算出された廃棄物の発熱量に適応する燃焼用空気の供給量となるように供給空気量調整手段を調整する供給空気量制御手段とを有することとする請求項１ないし請求項３のうちの一つに記載の廃棄物処理装置。
【請求項５】
貯留装置の貯留ピットへ廃棄物を受け入れて一時貯留し、貯留装置に貯留されている廃棄物を取出し装置で取り出して該廃棄物を搬送供給装置で焼却装置へ搬送供給して処理する方法において、
貯留ピット内の廃棄物の水分率分布を水分率計測手段で計測し、
水分率計測手段により計測された水分率分布にもとづき、貯留ピット内の廃棄物を攪拌混合手段で攪拌して廃棄物の水分率が所定範囲である部位を形成し、
取出し装置を作動して該部位の廃棄物を取り出すことを特徴とする廃棄物処理方法。
【発明の詳細な説明】
【技術分野】
【０００１】
本発明は廃棄物の水分率を所定範囲内にすることで焼却装置における廃棄物の燃焼により発生する発熱量を安定させる廃棄物処理装置及び方法に関する。
【背景技術】
【０００２】
従来、廃棄物焼却施設においては、焼却炉へ廃棄物を投入する前に廃棄物の性状を把握することは行われることがなく、廃棄物焼却炉に廃棄物が投入された後に燃焼中の操業データ（炉内温度、排ガス中酸素濃度等）により、廃棄物焼却炉での熱バランスを求め、廃棄物の発熱量を演算し、焼却炉に供給する燃焼空気量を調整するフィードバック制御が一般的である。したがって、焼却炉へ供給される廃棄物の性状が時々刻々変化する実際の操業では制御に遅れが生じ、時には焼却炉で発生した可燃性ガスが完全に燃焼されず、燃焼排ガス中に未燃ガスが残存することがあった。
【０００３】
そこで、特許文献１には廃棄物を焼却炉へ供給する供給通路が形成された供給装置を該焼却炉のごみ投入口の直前位置に設け、該供給通路を通過する廃棄物の比重および水分含有率を該供給通路の通過中に計測することで廃棄物の性状を焼却前に求め、廃棄物の性状に基づき焼却炉での燃焼に必要な空気量を演算して供給空気量を制御する焼却炉が開示されている。
【先行技術文献】
【特許文献】
【０００４】
【特許文献１】特開２０００-２８３４４４
【発明の概要】
【発明が解決しようとする課題】
【０００５】
上述のように、特許文献１では、焼却の前に廃棄物性状を求め、燃焼空気量を調整することとしているが、しかしながら、焼却炉へ供給される廃棄物の含有水分率等の性状変化が大きい場合は、たとえ焼却前に廃棄物性状を求めることができたとしても、的確に供給空気量を制御して燃焼制御するのは困難であり、燃焼排ガス中に未燃ガスが残存することがある。特に、特許文献１では、廃棄物の性状は、廃棄物が供給通路を通過中に計測されるので、通過点の前後で性状が大きく変わっていると、計測値も大きく変動して燃焼制御が困難となる。これは、供給される廃棄物内で性状分布が不均一となっている場合に生じる。
【０００６】
また、近年においては廃棄物の燃焼熱を有効利用してボイラにて蒸気を発生させてタービンにより発電を行う廃棄物焼却施設が増加している。この場合は、廃棄物の性状を焼却直前に把握できたとしても、上述のように、計測を供給通路の通過中に行ったのでは、実際に投入される廃棄物の性状を調整できないので、廃棄物の焼却によって得られる燃焼熱は変動して蒸気の発生量は大きく変動し、発電量が不安定となる。
【０００７】
本発明は、このような特許文献１における事情に鑑み、廃棄物処理装置における焼却炉へ供給される廃棄物の含有水分率等の性状が変動したり含有水分率分布が不均一であっても、これに対応でき、廃棄物の燃焼、ひいては発電量が安定する廃棄物処理装置及び方法を提供することを課題とする。
【課題を解決するための手段】
【０００８】
本発明は、廃棄物処理装置そして方法に関し、次のように構成することで上述の課題が解決される。
【０００９】
＜廃棄物処理装置＞
本発明の廃棄物処理装置は、廃棄物を受け入れて一時貯留する貯留ピットを備えた貯留装置と、廃棄物を焼却する焼却装置と、貯留装置に貯留されている廃棄物を取り出す取出し装置を可動に備えていて廃棄物を焼却装置へ搬送供給する搬送供給装置とを有する廃棄物処理装置において、
廃棄物処理装置は水分率調整装置を備え、該水分率調整装置は、貯留ピット内の廃棄物の水分率分布を計測する水分率計測手段と、貯留ピット内の廃棄物の水分率分布を調整するために該廃棄物を攪拌混合する攪拌混合手段と、該攪拌混合手段及び取出し装置を制御する攪拌混合取出し制御手段とを有し、
上記攪拌混合取出し制御手段は、水分率計測手段により計測された水分率分布にもとづき、上記攪拌混合手段を作動させて貯留ピット内に廃棄物の水分率が所定範囲である部位を形成し、取出し装置を作動させて該部位の廃棄物を取り出すように、攪拌混合手段及び取出し装置を制御することを特徴として構成される。
【００１０】
かかる構成の本発明によると、廃棄物の水分率は、焼却装置への廃棄物の供給前に、しかも貯留装置における貯留状態で水分率計測手段により計測される。水分率は貯留ピット内の廃棄物の水分率分布として計測され、水分率分布に偏りがあってその水分率が所定範囲に入っていないときには、廃棄物は攪拌混合手段によって周辺の廃棄物と攪拌混合されて水分率が所定範囲である部位を形成する。取出し装置がこの部位における廃棄物を取り出して、これを焼却装置へ搬送供給する。かくして、焼却装置へは、所定範囲の水分率の廃棄物が供給されることとなり、焼却装置での廃棄物燃焼ひいては発生熱を利用する発電量が安定する。
【００１１】
本発明において、貯留装置は、外部からの廃棄物が搬入される前段ピットと、該前段ピットから搬送された廃棄物を受ける後段ピットと、前段ピットと後段ピットとの間に設けられた破砕機とを有し、水分率計測手段と取出し装置が後段ピットに対して設けられていて廃棄物が取出し装置により後段ピットから焼却装置へ搬送供給されるようになっているようにすることができる。こうすることで、後段ピットで水分率を計測していても、その計測に影響をもたらすことなく、前段ピットへ外部から廃棄物を搬入することができる。また、廃棄物が袋体に入ったり固まっていたりするときには、破砕機により破砕されるので、攪拌混合がしやすく、また、水分率分布が正しく計測される。
【００１２】
本発明において、取出し装置は、廃棄物を貯留装置から焼却装置へ搬送供給するための搬送クレーンに吊下して設けられ廃棄物を掴むバケットを有し、該バケットの吊下位置が水平方向に可動となっていて、該バケットが攪拌混合手段をも兼ねているようにすることが好ましい。こうすることで、通常、廃棄物処理装置に取出し装置として備えられている設備であるバケットを攪拌混合装置としても用いることができ、追加設備をなくし、設備の簡素化を図れる。
【００１３】
本発明において、焼却装置は、廃棄物の水分率から廃棄物の発熱量を算出する発熱量算出手段と、焼却装置へ供給する燃焼用空気の供給量を調整する供給空気量調整手段と、水分率計測手段で検出された廃棄物の水分率から算出された廃棄物の発熱量に適応する燃焼用空気の供給量となるように供給空気量調整手段を調整する供給空気量制御手段とを有していることが好ましい。こうすることで、計測した廃棄物の水分率の計測結果に対し適切な燃焼用空気の供給を行い適切な燃焼を行うことができる。
【００１４】
＜廃棄物処理方法＞
かくして、本発明は、廃棄物処理方法に関しては、貯留装置の貯留ピットへ廃棄物を受け入れて一時貯留し、貯留装置に貯留されている廃棄物を取出し装置で取り出して該廃棄物を搬送供給装置で焼却装置へ搬送供給して処理する方法において、
貯留ピット内の廃棄物の水分率分布を水分率計測手段で計測し、
水分率計測手段により計測された水分率分布にもとづき、貯留ピット内の廃棄物を攪拌混合手段で攪拌して廃棄物の水分率が所定範囲である部位を形成し、
取出し装置を作動して該部位の廃棄物を取り出すことを特徴として構成される。
【発明の効果】
【００１５】
本発明では、以上のように、廃棄物の貯留装置のピット内での廃棄物の水分率を計測して、廃棄物ピット内の廃棄物の水分率分布を求め、水分率分布の情報により、水分率が所定範囲の部位を形成するように廃棄物の攪拌・混合を行い、水分率が所定範囲に入っている部位の廃棄物を、取出し装置により取り出して廃棄物焼却装置に廃棄物を供給することとしたので、廃棄物は貯留装置内に貯留されている状態で水分率が計測されて攪拌混合されることとなり、水分率が所定範囲である部位が確実に形成され、その部位の廃棄物が取り出されて焼却装置へ供給されることで、焼却装置での廃棄物の燃焼が安定し、その結果、発熱量により得られる発電量も安定する。
【図面の簡単な説明】
【００１６】
【図１】本発明の一実施形態としての廃棄物処理装置の概要構成図である。
【発明を実施するための形態】
【００１７】
以下、添付図面の図１にもとづき、本発明の一実施形態について説明する。
【００１８】
本実施形態の廃棄物処理装置は、大別すると、廃棄物を一時貯留する貯留装置Ｉと、廃棄物を焼却する焼却装置IIと、上記貯留装置Ｉから廃棄物を取り出して焼却装置へ搬送供給する搬送供給装置IIIとを有している。
【００１９】
貯留装置Ｉは、好ましい形態として、外部からの廃棄物Ｐを受け入れる前段ピット１１と、該前段ピット１１から移動されてくる廃棄物Ｐを受ける後段ピット１２との分離配置された二つのピットを有していると共に、両ピット１１，１２間に破砕機１３をも有している。
【００２０】
廃棄物Ｐは、廃棄物収集車（図示せず）によりもち込まれ上記前段ピット１１へ投入され、所定量づつ後段ピット１２へ移送されるが、その途中で、破砕機１３により、廃棄物が袋に入っている場合にこの袋が裂断されることで袋外に分散して取り出され、また廃棄物が大型のものは小さく破砕される。かくして、廃棄物Ｐは、処理に適した状態そしてサイズで後段ピット１２内に一時貯留される。
【００２１】
本実施形態において、上記破砕機１３自体は公知の形式のもので十分であり、二つの筒状の回転体を対向して配置し、両回転体の外周面に破砕のための刃、歯、突起等が設けられていて廃棄物が両回転体の外周面間で挟圧されながら送られることとするもの、あるいは、往復動する圧縮部材や突起部材を備えているもの等、種々適用可能である。要は、廃棄物を収めている袋を裂断し、大型廃棄物を小さく破砕する能力を備えていればよい。
【００２２】
上記破砕機１３で破砕され落下排出される廃棄物を受ける後段ピット１２は、前段ピット１１よりも大容量となっており、側壁上部には水分率調整装置の一部をなす水分率計測手段として例えば、赤外線水分率計測計１４が取り付けられている。上記水分率調整装置は、この赤外線水分率計測計１４と、後述の攪拌混合手段としてクレーンに設けられたバケットと、該バケットを開閉そしてその位置を移動させるように制御する攪拌混合取出し制御手段とから成っている。
【００２３】
水分率計測計自体は、公知の形式のものでよく、例えば、赤外線水分率計測計や静電容量式水分率計を用いることができる。
【００２４】
赤外線水分率計測計は廃棄物への赤外線の照射方向を移動させることで、廃棄物の任意の部位について計測できるので異なる部位を単体あるいは少数の計測計でスキャンするのに好都合である。これに対し、静電容量式水分率計は、一対をなす二つの電極間の静電容量により計測された廃棄物の静電容量に対応して水分率を算出するものであり、一方の電極をピットの一方の側壁にそして他方の電極をピットの他方側壁もしくは底壁に設ける必要があり、したがって異なる部位での水分率を計測するには、電極対が上記異なる部位での廃棄物を挟むように位置して設けることとなる。かくして、スキャンするか複数位置に配された赤外線水分率計あるいは静電容量式水分率計等の水分率計測計により廃棄物の水分率分布を得る。
【００２５】
上記後段ピット１２の上方位置には、搬送供給装置IIIとしての搬送クレーン１５が設けられている。該搬送クレーン１５は、天井に設置された走行案内のためのレール１６、該レール１６に走行自在に支持された巻上機（図示せず）から吊下されたワイヤ１７と該ワイヤ１７の下端に設けられたバケット１８とを有している。該バケット１８は開閉駆動されると共に、ワイヤ１７の巻上げにより昇降動し、また上記巻上機のレール１６での走行により水平方向における吊下位置を移動するようになっている。上記バケット１８は、閉状態で後段ピット１２内廃棄物Ｐを掴んで取り出す取出し装置を形成するが、開閉動作によって廃棄物Ｐを攪拌混合するので、攪拌混合手段としても機能する。この取出し装置そして攪拌混合手段としてのバケット１８の開閉そしてその位置の移動は、上記水分率計測手段としての赤外線水分率計測計１４での計測により得られた水分率分布にもとづき、後述の攪拌混合取出し制御手段によって制御される。上述した水分率計測手段、攪拌混合手段、そして攪拌混合取出し制御手段により水分率調整装置が構成される。
【００２６】
上記攪拌混合取出し制御手段は、上記赤外線水分率計測計１４からの検出信号を受けて、上記バケット１８の開閉そして位置移動を制御する制御部（図示せず）を有している。該制御部は、後段ピット１２から取り出されるべき廃棄物の水分率が所定範囲として設定されており、上記赤外線水分率計測計１４による計測で得られた水分率分布にもとづき、廃棄物の水分率が所定範囲となっている部位にバケット１８を移動させ、また、水分率が所定範囲となっていないときにはバケット１８を開閉させて周囲の廃棄物と攪拌混合して廃棄物の水分率が所定範囲の部位を生ずるように、上記バケットの動作を制御し、さらには、かかる部位の廃棄物Ｐを掴んで後段ピット１２から取り出して焼却装置IIへ供給するように、搬送クレーン１５をも制御している。
【００２７】
焼却装置IIは、廃棄物Ｐの供給を受けるホッパ２２Ａを上端に有し該ホッパ２２Ａから廃棄物Ｐを炉内に落下投入するシュート２２が設けられた焼却炉２１として形成されている。該焼却炉２１は、例えば、火格子式焼却炉として形成することができる。火格子式焼却炉の場合、炉内底部に設けられている火格子（図示せず）の下方から燃焼用空気を、供給空気量調整装置２４を経て炉内の燃焼室２３に供給する風箱２４Ａが炉底に設けられている。上記火格子は該火格子上の廃棄物を図にて右方向に送るように作動している。
【００２８】
上記焼却炉２１は、燃焼室２３の後流側上部が二次燃焼室となっていて、その上方に排気部２５が設けられている。二次燃焼室と排気部２５の排気口２５Ａとの間の位置には、二次燃焼で得られる熱を回収するボイラ（図示せず）が配設されている。上記排気口２５Ａは、後流側に設けられた集塵機や排ガス無害化装置（図示せず）に接続されていて、焼却炉２１から排出される排ガスは無害化された後に、大気に放出されるようになっている。
【００２９】
焼却装置IIは、焼却炉２１での廃棄物の燃焼状態を廃棄物の水分率に対して最良にするように上記供給空気量調整装置２４を調整可能としており、該供給空気量調整装置２４に加え、廃棄物の水分率から廃棄物の発熱量を算出する発熱量算出手段（図示せず）と、貯留装置IIに設けられた既出の水分率計測手段で検出された廃棄物の水分率から算出された廃棄物の発熱量に適応する供給空気量となるように供給空気量調整手段を調整する供給空気量制御手段（図示せず）をも有している。該供給空気量調整手段は、既出の攪拌混合取出し制御手段と別々に構成されていなくとも両制御手段を合わせて一つの制御装置とすることも可能である。
【００３０】
このように構成された本実施形態の廃棄物処理装置にあっては、廃棄物は、次の要領で、その水分率が制御されて焼却処理される。
【００３１】
廃棄物収集車で収集された廃棄物Ｐは、先ず、貯留装置Ｉの前段ピット１１へ投入される。廃棄物Ｐは適宜手段により、後段ピット１２の受入余剰能力そして破砕機１３の処理能力に応じた量が、破砕機１３を経て後段ピット１２へ移送される。破砕機１３では、ビニール等の袋に入っている廃棄物は袋が裂断されて袋外に分散し、大型のものは破砕されて小サイズのものとされる。かくして、廃棄物Ｐは、処理に適した状態そしてサイズで後段ピット１２内に一時貯留される。
【００３２】
廃棄物Ｐは、収集される場所や時期等の条件によって、その水分率が異なっている。したがって、後段ピット１２内に貯留されている廃棄物Ｐは水分率が廃棄物の後段ピット１２内における部位により変わっている水分率分布を形成している。また、後段ピット１２内の廃棄物Ｐは、バケット１８により取り出されそして新たな廃棄物が前段ピット１１から移送されてくるので、上記水分率分布の様子は時間の経過によっても変わってくる。本実施形態では、かかる状態のもとで、水分率は赤外線水分率計測計１４により、常時あるいは比較的短い周期で計測されている。
【００３３】
攪拌混合取出し制御手段は、赤外線水分率計測計１４の計測により得られた水分率分布にもとづき、取出し装置としてのバケット１８の位置を、廃棄物Ｐの水分率が所定範囲内にある廃棄物の部位へ移動させ、該部位での廃棄物をバケット１８で掴み、ワイヤ１７を巻上機で巻き上げることにより後段ピット１２外へ取り出し、巻上機をレール１６に沿って移動させることで、上記廃棄物を焼却装置のホッパ２２Ａ内へ落下投入する。
【００３４】
後段ピット１２内で、位置によって水分率の高低差が大きく水分率分布が偏っていて水分率が所定範囲に入っていないときには、攪拌混合取出し制御手段はバケット１８に開閉動作を行う指令を発して周辺の廃棄物を攪拌混合する。この攪拌混合により廃棄物の水分率が所定範囲の部位が形成されるようになる。かくして、攪拌混合取出し制御手段は、水分率が所定範囲になった該部位の廃棄物を取り出すようにバケット１８に指令を発する。このようにして、本実施形態では、常に廃棄物の水分率が所定範囲に収まっている状態で焼却炉２１のホッパ２２Ａへ落下投入して該焼却炉２１へ搬送供給される。
【００３５】
ホッパ２２Ａから落下投入された廃棄物Ｐは、シュート２２を経て焼却炉２１の火格子上に廃棄物の堆積層を形成する。火格子は、下流側（図にて右方向）へ廃棄物を送り出す動作を伴っており、該廃棄物は燃焼しながら下流側へ移動する。焼却炉２１は、その底部で火格子の下方へ複数の風箱２４Ａから燃焼用空気を受けており、この燃焼用空気が火格子上の廃棄物の堆積層を透過上昇し燃焼室２３での廃棄物の燃焼に寄与する。
【００３６】
燃焼装置IIは、焼却炉２１へ供給された廃棄物について、赤外線水分率計測計１４で計測された廃棄物の水分率にもとづき、この水分率から算出された廃棄物の発熱量に適応する供給空気量となるように、供給空気量制御手段の指令にしたがい上記燃焼用空気量が供給空気量調整装置２４により調整される。上記発熱量は、予め種々の水分率に対応して求められた発熱量の関係を蓄積しているデータベースあるいは両者の関係式を有している発熱量算出手段から、特定の水分率に対応する発熱量を算出して得られる。かくして、焼却炉内の廃棄物の水分率に応じて、上記発熱量を得るために適した供給量の燃焼用空気が供給される。
【００３７】
本実施形態では、燃焼用空気は火格子の下方に供給される一次燃焼用空気として例示したが、一次燃焼用空気と二次燃焼用空気の合計の空気量として、同様に供給空気量を制御することとしてもよい。
【００３８】
本実施形態では、搬送クレーンのバケットが攪拌混合手段と取出し手段の両手段を兼ねる例として説明したが、両手段を別途の部材で構成してもよい。また、貯留装置における貯留ピットを、前段ピットと後段ピットに分ける構成としたが、分けずに一つのピットで形成してもよい。
【符号の説明】
【００３９】
Ｉ  貯留装置
II  焼却装置
III  搬送供給装置
１１  前段ピット
１２  後段ピット
１３  破砕機
１４  水分率計測手段（水分率計測計）
１５  搬送クレーン
１８  攪拌混合手段：取出し装置（バケット）
２１  焼却炉
２４  供給空気量調整装置
【図１】
2014185835.tif 000003